(57)【要約】【課題】遊技盤の着脱作業労力の軽減を図る遊技盤施錠装置及び解錠具を提供することにある。【解決手段】遊技領域を有する遊技盤の端縁所定箇所を、遊技機本体枠に設けられた取付部とともに着脱可能に挟持して遊技盤の脱落を防止する施錠具３０と、該施錠具３０を施錠方向若しくは解錠方向へと可動させるために用いられる解錠具３９とからなる遊技盤施錠装置において、前記施錠具３０には、複数個の施錠具側係合部３７ａ，３７ｂ，３７ｃが備えられ、前記解錠具３９には、前記施錠具３０に設けられた複数個の施錠具側係合部の夫々に係合する解錠具側係合部４３ａ，４３ｂ，４３ｃを備えた。【選択図】    図１１
2006198192.tif 000002
【特許請求の範囲】
【請求項１】
遊技領域を有する遊技盤の端縁所定箇所を、遊技機本体枠に設けられた取付部とともに着脱可能に挟持して遊技盤の脱落を防止する施錠具と、
該施錠具を施錠方向若しくは解錠方向へと可動させるために用いられる解錠具とからなる遊技盤施錠装置において、
前記施錠具には、複数個の施錠具側係合部が備えられ、
前記解錠具には、前記施錠具に設けられた複数個の施錠具側係合部の夫々に係合する解錠具側係合部を備えたことを特徴とする遊技盤施錠装置。
【請求項２】
施錠具は、遊技機本体枠に設けられた取付部に対して回動可能に取付けられ、
該施錠具に設けられる複数個の施錠具側係合部は、その１つが回動軸と同軸上に設けられ、その他の係合部は、前記回動軸から偏芯した位置に設けられ、
解錠具の解錠具側係合部を前記施錠具の前記施錠具側係合部に係合させるとともに、該解錠具を回動操作することにより、前記施錠具を施錠方向若しくは解錠方向へと可動させることを特徴とする請求項１に記載の遊技盤施錠装置。
【請求項３】
施錠具は、
回動軸の端部に設けられた回動支部と、
前記回動軸の他端部に設けられ、遊技盤の前面側に当接するための当接部とが一体に設けられ、
施錠具側係合部は、前記当接部の背面側に設けられており、
前記回動軸が遊技機本体枠に設けられた取付部の軸受部に回動可能に軸支されるとともに、前記回動支部が前記取付部の嵌合座部に回動可能に遊嵌されていることを特徴とする請求項２に記載の遊技盤施錠装置。
【請求項４】
解錠具には、回動軸に対して長手方向が所定角度傾斜した取っ手部を備えたことを特徴とする請求項２又は３に記載の遊技盤施錠装置。
【請求項５】
解錠具は、裏側に解錠具側係合部を備え、回動軸を中心に回動する回動部を備え、
取っ手部は、前記回動部に取付けられ、回動部の回転軸と同軸上の回転軸を中心として回動可能であって、
前記取っ手部と回動部には、夫々係合しあう取っ手部側係合部と回動部側係合部が設けられ、
前記取っ手部側係合部と回動部側係合部のいずれかの係合部は、複数個設けられていることを特徴とする請求項４に記載の遊技盤施錠装置。
【請求項６】
取っ手部側係合部と回動部側係合部のいずれかの係合部には、他方の係合部を係合方向にガイドするガイド部を設けたことを特徴とする請求項５に記載の遊技盤施錠装置。
【請求項７】
施錠具には、指先にて操作が可能な操作部が設けられ、
該操作部を操作することにより、前記施錠具が施錠方向若しくは解錠方向へと可動可能であることを特徴とする請求項１乃至６のいずれかに記載の遊技盤施錠装置。
【請求項８】
遊技領域を有する遊技盤の端縁所定箇所を、遊技機本体枠に設けられた取付部とともに着脱可能に挟持して遊技盤の脱落を防止する施錠具を施錠方向若しくは解錠方向へと可動させるために用いられる解錠具において、前記施錠具に設けられる複数個の施錠具側係合部の夫々に係合する解錠具側係合部を備えたことを特徴とする解錠具。
【発明の詳細な説明】
【技術分野】
【０００１】
本発明は、遊技機本体枠に対して遊技盤を着脱可能に取り付ける遊技盤施錠装置及び解錠具に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所望な入賞口に遊技球が入賞することで所望な演出がなされ、かつ賞球を得ることにより遊技を楽しむものである。
このとき、遊技中に遊技盤ががたついては、遊技盤の遊技領域に打ち出されて転動する遊技球の流下に支障を来たす虞がある。従って、遊技盤は、がたつかないようにしっかりと遊技機本体枠（例えば内枠）に取り付けられる必要がある。また、遊技盤は、メンテナンス、交換のため、内枠から取り外し可能である必要があった。
【０００３】
そこで、従来、遊技盤を内枠に対して取り外し可能で、かつ、がたつかないように取り付けるため、内枠内面の四隅に、六角レンチなどの治具（解錠具）を用いて回動操作可能な遊技盤施錠具が提供され、該施錠具の回動操作によって、遊技盤を内枠に施錠して強固に固定あるいは、解錠して取り外し自在としている（例えば、特許文献１参照）。このような施錠具を備えることにより、遊技盤を内枠に対して強固に固定することが可能でがたつきをなくしていた。
【特許文献１】特開２００４−２４９０８号公報
【発明の開示】
【発明が解決しようとする課題】
【０００４】
しかし、前記特許文献１に開示の先行技術では、六角レンチの回動軸一点のみで施錠具を支持しなければならないため、多大なる荷重を負荷しなければ、施錠具を可動させることは困難であり、遊技盤の着脱作業に対する労力が掛かっていた。
本発明は、このような問題を解決するためになされており、その目的とするところは、遊技盤の着脱作業労力の軽減を図る遊技盤施錠装置及び解錠具を提供することにある。
【課題を解決するための手段】
【０００５】
このような目的を達成するために、第１の発明は、遊技領域Ａを有する遊技盤１９の端縁所定箇所を、遊技機本体枠に設けられた取付部２９とともに着脱可能に挟持して遊技盤１９の脱落を防止する施錠具３０と、該施錠具３０を施錠方向若しくは解錠方向へと可動させるために用いられる解錠具３９とからなる遊技盤施錠装置において、前記施錠具３０には、複数個の施錠具側係合部（例えば第一の被係合部３７ａ乃至第三の被係合部３７ｃ）が備えられ、前記解錠具３９には、前記施錠具３０に設けられた複数個の施錠具側係合部（例えば第一の被係合部３７ａ乃至第三の被係合部３７ｃ）の夫々に係合する解錠具側係合部（例えば、第一の係合部４３ａ乃至第三の係合部４３ｃ）を備えたことを特徴とする遊技盤施錠装置としたことである。
【０００６】
本発明によれば、施錠具側係合部（例えば第一の被係合部３７ａ乃至第三の被係合部３７ｃ）と解錠具側係合部（例えば、第一の係合部４３ａ乃至第三の係合部４３ｃ）が相互に係合する複数個の係合部を備える構成としたため、係合部に掛かる荷重が分散され、解錠・施錠操作が容易となり、遊技盤１９の着脱作業労力が軽減される。
【０００７】
第２の発明は、第１の発明において、施錠具３０は、遊技機本体枠に設けられた取付部２９に対して回動可能に取付けられ、該施錠具３０に設けられる複数個の施錠具側係合部（例えば第一の被係合部３７ａ乃至第三の被係合部３７ｃ）は、その１つが回動軸３４と同軸上に設けられ、その他の係合部は、前記回動軸３４から偏芯した位置に設けられ、解錠具３９の解錠具側係合部（例えば、第一の係合部４３ａ乃至第三の係合部４３ｃ）を前記施錠具３０の前記施錠具側係合部（例えば第一の被係合部３７ａ乃至第三の被係合部３７ｃ）に係合させるとともに、該解錠具３９を回動操作することにより、前記施錠具３０を施錠方向若しくは解錠方向へと可動させることを特徴とする遊技盤施錠装置としたことである。
【０００８】
本発明によれば、施錠具３０に対する解錠具３９の位置決めが容易となり、作業労力がさらに軽減できる。
【０００９】
第３の発明は、第２の発明において、施錠具３０は、回動軸３４の端部に設けられた回動支部３５と、前記回動軸３４の他端部に設けられ、遊技盤１９の前面側に当接するための当接部３８とが一体に設けられ、施錠具側係合部（例えば第一の被係合部３７ａ乃至第三の被係合部３７ｃ）は、前記当接部３８の背面側に設けられており、前記回動軸３４が遊技機本体枠に設けられた取付部２９の軸受部３２に回動可能に軸支されるとともに、前記回動支部３５が前記取付部２９の嵌合座部（係止部３１）に回動可能に遊嵌されていることを特徴とする遊技盤施錠装置としたことである。
【００１０】
本発明によれば、施錠具３０の部品点数を少なくすることが出来るため、製造コストを低く抑えることが出来る。
【００１１】
第４の発明は、第２又は第３の発明において、解錠具３９には、回動軸４５（軸部４１）に対して長手方向が所定角度傾斜した取っ手部４６（把持部４２）を備えたことを特徴とする遊技盤施錠装置としたことである。
【００１２】
本発明によれば、解錠具３９による解錠及び施錠操作における作業者の労力負担をさらに軽減できる。
【００１３】
第５の発明は、第４の発明において、解錠具３９は、裏側に解錠具側係合部（例えば、第一の係合部４３ａ乃至第三の係合部４３ｃ）を備え、回動軸４５を中心に回動する回動部４４を備え、取っ手部４６は、前記回動部４４の表側に取付けられ、回動部４４の回動軸４５と同軸上の回動軸を中心として回動可能であって、前記取っ手部４６と回動部４４には、夫々係合しあう取っ手部側係合部４８と回動部側係合部４９が設けられ、前記取っ手部側係合部４８と回動部側係合部４９のいずれかの係合部は、複数個設けられていることを特徴とする遊技盤施錠装置としたことである。
【００１４】
本発明によれば、いわゆるラチェット式によって構成されているため、まず、回動部４４の裏側にある解錠具側係合部（例えば、第一の係合部４３ａ乃至第三の係合部４３ｃ）を、施錠具３０にある施錠具側係合部（例えば第一の被係合部３７ａ乃至第三の被係合部３７ｃ）と係合させ、そして、取っ手部４６を回動させて作業し易い位置に移動させると共に、取っ手部側係合部４８と回動部側係合部４９を係合させて取っ手部４６と回動部４４とが一体的に作動する。このように作業者の作業し易い位置に取っ手部４６を移動及び固定可能であるため、作業効率が向上する。
【００１５】
第６の発明は、第５の発明において、取っ手部側係合部４８と回動部側係合部４９のいずれかの係合部には、他方の係合部を係合方向にガイドするガイド部５０を設けたことを特徴とする遊技盤施錠装置としたことである。
【００１６】
本発明によれば、取っ手部側係合部４８と回動部側係合部４９の係合動作がガイド部５０によってスムーズに成し得るので、解錠具３９の操作性が向上し、作業効率がさらに向上する。
【００１７】
第７の発明は、第１乃至第６のいずれかの発明において、施錠具３０には、指先にて操作が可能な操作部３６が設けられ、該操作部３６を操作することにより、前記施錠具３０が施錠方向若しくは解錠方向へと可動可能であることを特徴とする遊技盤施錠装置としたことである。
【００１８】
本発明によれば、第１乃至第６の発明の作用効果を奏しつつ、解錠具３９が傍に無いような状況下であっても、作業者が手作業で操作が可能であるため、利便性に優れている。
【００１９】
第８の発明は、遊技領域Ａを有する遊技盤１９の端縁所定箇所を、遊技機本体枠に設けられた取付部２９とともに着脱可能に挟持して遊技盤１９の脱落を防止する施錠具３０を施錠方向若しくは解錠方向へと可動させるために用いられる解錠具３９において、前記施錠具３０に設けられる複数個の施錠具側係合部（例えば第一の被係合部３７ａ乃至第三の被係合部３７ｃ）の夫々に係合する解錠具側係合部（例えば、第一の係合部４３ａ乃至第三の係合部４３ｃ）を備えたことを特徴とする解錠具としたことである。
【００２０】
本発明によれば、遊技機本体枠の取付部２９とともに遊技盤１９を挟持して固定する施錠具３０に設けられている複数個の施錠具側係合部（例えば第一の被係合部３７ａ乃至第三の被係合部３７ｃ）と係合する複数個の解錠具側係合部（例えば、第一の係合部４３ａ乃至第三の係合部４３ｃ）を備える解錠具構成としたため、夫々の係合部に掛かる荷重が分散され、解錠・施錠操作が容易な解錠具が提供できる。
【発明の効果】
【００２１】
本発明によれば、遊技盤の着脱作業に対する労力を軽減し、遊技盤の着脱が容易な遊技盤施錠装置及び解錠具を提供できる。
【発明を実施するための最良の形態】
【００２２】
以下、本発明の一実施形態について説明する。なお、本実施形態は本発明の一例にすぎずなんらこれに限定解釈されるものではなく、本発明の範囲内で設計変更可能である。
【実施例１】
【００２３】
図１は、本発明を適用した弾球遊技機（パチンコ機ともいう）の一例を示す概略斜視図、図２はフロント扉３を開放し、遊技盤１９及び図示しない表示装置を取り外した状態の正面図、図３は上下の軸支部２８，２８を拡大した部分拡大図、図４は上下の取付部２９，２９及び施錠具３０，３０を拡大した部分拡大図である。
【００２４】
弾球遊技機は、図１及び図２に示すように、外枠１の前面に内枠（ベースドア）２が回動自在に軸支され、該内枠２の前面には、遊技領域Ａを有する遊技盤１９が着脱自在に装着され、該遊技盤１９の背面には図示しない表示装置が着脱自在に装着されている。
【００２５】
前記内枠２の前面には、図１及び図２に示すように、ガラス板４を嵌めたフロント扉３が回動自在に軸支され、該フロント扉３閉鎖時には、該フロント扉３の前側からガラス板４を介して前記遊技盤１９が視認される。図中、２２は内枠２内に配設されるスピーカである。
【００２６】
前記フロント扉３を軸支した内枠２の前面下部には、図１では図示しない払出装置から払い出された遊技球が遊技球受入口５ａから供給されるとともに、発射装置７へと遊技球を供給するための遊技球供給皿（上皿）５と、該遊技球供給皿５満杯時に遊技球受入口５ａの内方で溢れ出た球（溢出球）を排出する下皿排出口６ａを有する下皿６とを、単一（同一）の取付ベース２１に一体的に備えた皿ユニット２０が回動自在に軸支されている。
また、この下皿６には、発射装置７を構成する発射ハンドル８のレバー８ａを回転させることによって発射されたが、遊技領域Ａに到達しない遊技球（ファール球）と、遊技球供給皿５に備えられた球抜取装置５ｂを操作することによって、遊技球供給皿５から抜き取った遊技球（抜取球）が、前記下皿排出口６ａを介して排出される。
【００２７】
本実施例では、前記外枠１と内枠２からなる枠部材を遊技機本体枠とし、該遊技機本体枠内の後方に取付基板２３を配設し、図２を正面から見て前記取付基板２３の表面左側の上下２箇所の隅部には夫々軸支部２８，２８を配設し（図２において符号Ｅ１，Ｅ２で示す図３（ａ）（ｂ）の部分拡大図参照）、右側の上下２箇所の隅部には、取付部２９，２９と、該取付部２９，２９に回動可能に取り付けられる施錠具３０，３０が配設されている（図２において符号Ｅ３，Ｅ４で示す図４（ａ）（ｂ）の部分拡大図参照）。
【００２８】
遊技盤１９は、図５に示すように、略矩形に形成した遊技盤ベース１８と、該遊技盤ベース１８の表面所定箇所に備えた種々の遊技部材とで構成し、該種々の遊技部材を所定箇所に備えることで表側の遊技領域Ａが形成されている。
【００２９】
遊技盤ベース１８は、遊技部材を固定でき、かつ、容易に変形しない（曲がらない）又は変質しない程度の硬度・強度等を有する材質をもって正面視略矩形に形成されている。
本実施例では、図５の遊技盤１９を正面から見て、遊技盤ベース１８の左側の上下２箇所の隅角には、遊技機本体枠内の取付基板２３に備えた上下２箇所の軸支部２８，２８（具体的構成については後述する。）に回動可能に軸支される回動軸部２４，２４を突設し、右側の上下２箇所の隅角には、前記遊技機本体枠内の取付基板２３に備えた上下２箇所の取付部２９，２９及び施錠具３０，３０（具体的構成については後述する。）にて挟持される挟持固定部２５，２５を備えている。
【００３０】
挟時固定部２５は、遊技盤ベース１８の上下の隅角部に、正面視半円状に切欠いた突合せ部２６を備えるとともに、該突合せ部２６の前面外周縁に、該突合せ部２６と略同心円の半円環状に形成したガイド部２７を備え、該ガイド部２７は、中央部位に略Ｖ字状の係合用窪み２７ａを設けると共に、該係合用窪み２７ａに向けて左右端から夫々緩やかな上り傾斜状の左右ガイド面２７ｂを設けて構成されている。なお、本実施例では前記ガイド面２７ｂを備える構成を採用したが、これに限定はされずガイド面２７ｂを採用しない構成も本発明の範囲内である。
【００３１】
遊技盤ベース１８は、少なくともその一部が無色透明のアクリル樹脂材、ポリカーボネート樹脂、ポリアリレート樹脂などの透明性の高い硬質の合成樹脂材（透明部材）で形成され、裏側に配設される表示装置がその透明部材を介して視認可能とする。
また、樹脂以外の材質、例えばガラスなどを採用することも本発明の範囲内であり設計変更可能である。なお、遊技盤ベースを介して遊技盤裏側の表示装置を視認可能とする構成を採用しない場合には、遊技盤ベース全体が非透明部材（例えばベニヤ合板）からなるものであっても構わない。
【００３２】
遊技部材は、弾球遊技機において遊技に必要な全ての部材を言い、例えば、図１に示すような遊技球が転動する表側の遊技領域Ａを区画すると共に、該表側の遊技領域Ａに発射装置７の発射ソレノイド９から打ち出される遊技球を導くガイドレール１５、表示装置の変動表示を起動すると共に、大当たりとするか否かの抽選処理を起動する始動入賞装置（始動入賞口ともいう）１０、大当たり時に開放するアタッカと称する特別電動役物を構成する大入賞装置（大入賞口ともいう）１１、遊技球が入賞することにより遊技球の払い出しが行われる一般入賞口１２、遊技領域での入賞を逃したアウト球を排出するアウト口１３、遊技盤ベース１８に打たれている図示しない多数の遊技釘、そして遊技球が転動可能なステージ１６、天通路１７などの遊技部材が一例として挙げられる。
【００３３】
本発明は、上述した取付部２９に取り付けられる施錠具３０と、該施錠具３０を施錠方向若しくは解錠方向へと可動させるために用いられる解錠具３９とで構成される遊技盤施錠装置に特有の構成を備えているため、以下、この遊技盤施錠装置について詳細に説明する。
【００３４】
遊技盤施錠装置は、上述した通り、遊技機本体枠内に備えられる取付部２９に取り付けられる施錠具３０と、該施錠具３０を回動操作して施錠若しくは解錠操作する解錠具３９とで構成される。
【００３５】
取付部（取付ベースともいう。）２９は、図６乃至図８に示すように、底面開放の箱形状に形成した係止部（嵌合座部）３１と、該係止部３１の頂面３１ａに一体に設けた軸受部３２とからなり、前記係止部３１が、遊技機本体枠内に備えた取付基板２３の内面隅角部で前方に向けて突設した角柱状の係止突部２３ａに係止により取り付け固定される。なお、係止部３１の形状は本実施例形状に限定されず、遊技機本体枠内に備えられる係止突部２３ａに係止可能な構成であればよい。また、係止部３１は、取付基板２３と一体成形されるものであってもよい。
【００３６】
係止部３１は、図６及び図８に示すように、頂面四隅のうち任意の一つの隅角から、頂面３１ａの中心に向けて係止部切欠き溝３１ｂが形成されているとともに、該頂面３１ａの内側には、施錠具３０の回動支部３５を当節せしめる受け面部３１ｃが備えられている。なお、本実施例における受け面部３１ｃは、回動支部との摩擦抵抗を少なくするためにリブ形状を採用している。また、施錠具３０の回動操作を円滑にするためにも、この受け面部３１ｃは回動支部との摩擦抵抗を少なくするように材質を選択したり、あるいは摩擦抵抗の低いコーティング材で当接領域をコーティングするものとしてもよい。
前記係止部切欠き溝３１ｂの頂面中心に位置している溝先端は、後述する軸受部３２の軸受部切欠き溝３２ｃと連通した同一溝形状としている。
【００３７】
軸受部３２は、前記係止部３１の頂面３１ａ領域一杯に配設可能な最大径の円柱を、その上下面にわたって直径位置で縦断し、その縦断面３２ａが前記係止部切欠き溝３１ｂと直交する位置に配置されてなる縦断円柱形状をもって前記係止部３１の頂面３１ａに一体に突設されている。前記縦断面３２ａは、遊技盤ベース１８の挟時固定部２５の突合せ部２６と密着して突合せ可能な面形状に形成されている。
【００３８】
前記縦断面３２ａの下端には、軸受部３２の平面視半円形状と同心円で係止部３１の頂面３１ａから突設した複数個の円弧状リブ３３が形成されている。
軸受部３２の頂面３２ｂには、前記係止部切欠き溝３１ｂに直交して貫通する軸受部切欠き溝３２ｃが、平面視半円状に前記縦断面３２ａにわたって形成されている。
この軸受部切欠き溝３２ｃは、遊技盤ベース１８の挟時固定部２５を突き合わせた際に、該挟時固定部２５の半円切欠き状の突合せ部２６と共に、施錠具３０の回動軸を収容する施錠具の回動軸挿通部として機能する。
また、軸受部３２の頂面３２ｂには、図７に示すように前記頂面３２ｂの円弧状周縁の略中央位置Ｐ１から縦断面３２ａに向けて下り傾斜状の円弧状ガイド面３２ｅが突設されており、該ガイド面３２ｅは、前記傾斜角度の大きい位置Ｐ１に、後述する当接部を収容保持する凹部３２ｆが形成されている。
【００３９】
施錠具３０は、遊技機本体枠に取り付けられた前記取付部２９に対して回動可能に取付けられ、複数個の施錠具側係合部３７が備えられている。前記複数個の施錠具側係合部３７は、その１つが回動軸３４と同軸上に設けられ、その他の係合部３７は、前記回動軸３４から偏芯した位置に設けられている。
【００４０】
本実施例に基づいて具体的な実施の一形態を説明すると、施錠具３０は、所定長さの円筒状に形成された回動軸３４と、該回動軸３４の端部に設けられ、該回動軸３４径よりも大径な円盤状（台座状ともいう）の回動支部３５と、前記回動軸３４の他端部を中心に、該他端部と並設して左右方向に同一長さで一体に設けられた操作部３６と、該操作部３６の頂面（背面ともいう）３６ａに二箇所と、前記回動軸３４の他端部に一箇所設けた合計３個の施錠具側係合部（被係合部）３７と、前記操作部３６の下面側に先端鋭利状に突設され、遊技盤１９の挟持固定部２５の前面側（係合用窪み２７ａ）に当接するための当接部３８とが一体に設けられている。すなわち、施錠具側係合部（被係合部）は、回動軸３４と同軸に備えた第一の被係合部３７ａと、該第一の被係合部３７ａから（回動軸３４から）偏芯した位置に備えた第二の被係合部３７ｂ、第三の被係合部３７ｃとで構成されている。
【００４１】
そして、前記施錠具３０は、遊技機本体枠に係止固定されている前記取付部２９の軸受部切欠き溝３２ｃと係止部切欠き溝３１ｂに回動軸３４を回動可能に配するとともに、前記取付部２９の係止部３１の受け面部３１ｃに前記回動支部３５を当接させて係止部３１内に回動可能に遊嵌されて一体的に遊技機本体枠内に配設される。
また、本実施例では、回動軸３４に対して水平方向に延びた構造の操作部３６とし、該操作部３６を作業者が指で摘んで施錠具３０を施錠方向若しくは解錠方向へと可動可能である。
【００４２】
解錠具３９は、前記施錠具３０に設けられた複数個の施錠具側係合部（被係合部）３７ａ，３７ｂ，３７ｃの夫々に係合する解錠具側係合部（係合部）４３を備えた任意の形態を有し、前記施錠具３０を施錠方向若しくは解錠方向に回動操作可能に構成している。
【００４３】
具体的には、図９及び図１０に示すように、解錠具３９は、平面視略三角形の平板状に形成された基部４０と、該基部４０の背面側から垂直に立上げ形成された軸部４１と、該軸部４１の上端側にて直交状に一体成形された把持部４２とで構成されている。
基部４０は、その下面側に、前記施錠具３０に備えた３個の被係合部３７ａ，３７ｂ，３７ｃに差込み係合可能な３個の係合部４３ａ，４３ｂ，４３ｃが突設されている。なお、基部４０の形状は、図示例のように平面視略三角形状の板状に限定されるものではなく本発明の範囲内で設計変更可能である。
【００４４】
把持部４２は、軸部４１との接合点を境にして左右方向に同一長さをもって延設されている縦断円筒形状に形成されている。
把持部４２の形状は特に限定はされないが、回動操作の利便性を考慮すれば所定の横方向長さをもって形成されていることが望ましく、本実施形態では、把持部４２と軸部４１とによって正面視略Ｔ字形状に構成されている。
なお、把持部４２の頂面４２ａに設けられている穴部４２ｂは、解錠が困難な場合に所望な治具を差し込んで回動させるための穴である。
【００４５】
前記基部４０の下面側に突設されている３個の係合部４３ａ，４３ｂ，４３ｃは、図１０に示すように、夫々所定高さを有する円筒形状に形成されており、施錠具３０の操作部３６に備えた前記第一の被係合部３７ａに係合可能な第一の係合部４３ａと、該第一の係合部４３ａから偏芯した位置、例えば該第一の係合部４３ａを頂点とした三角形状を構成する位置に配設された前記第二の被係合部３７ｂに係合可能な第二の係合部４３ｂと、前記第三の被係合部３７ｃに係合可能な第三の係合部４３ｃとで構成されている。
【００４６】
また、本実施例では、施錠具側の第一乃至第三の被係合部３７ａ乃至３７ｃに合致した形状の係合部（第一の係合部４３ａ乃至第三の係合部４３ｃ）とするために、第一の係合部４３ａと第二・第三の係合部４３ｂ，４３ｃの大きさが異なっているが、一実施形態にすぎず何等限定解釈されるものではない。また、夫々の係合部４３ａ乃至４３ｃの配置箇所も実施の一形態であって限定はされない。
【００４７】
なお、本実施例において、施錠具３０には、上述した通り、指先にて回動操作（施錠若しくは解錠操作）が可能な操作部３６を設ける形態を採用しているが、この操作部３６を設けない構成を採用することも可能で本発明の範囲内で設計変更可能である。
【００４８】
ここで、本実施例の遊技盤施錠装置による遊技盤１９の着脱操作について図１１乃至図１３を参考に説明する。
まず、遊技盤１９の上下回動軸部２４，２４を、夫々遊技機本体枠内に備えた軸支部２８，２８に遊嵌して遊技盤１９を回動可能に取り付ける。
そして、該遊技盤１９の軸支されていない側に備えている挟持固定部２５，２５の背面側を、遊技機本体枠内に備えた取付部２９，２９の円弧状リブ３３，３３に当接させるとともに、挟時固定部２５，２５の突合せ部２６，２６を、軸受部３２，３２の縦断面３２ａ，３２ａに突き合わせる。この時、施錠具３０，３０の操作部３６，３６は、前記軸受部頂面３２ｂ，３２ｂのガイド面３２ｅ，３２ｅに備えた凹部３２ｆ，３２ｆに収容保持されている（図１１（ａ））。
そしてこの状態で、施錠具３０の第一乃至第三の被係合部３７ａ乃至３７ｃに、解錠具３９の第一乃至第三の係合部４３ａ，４３ｂ，４３ｃを差込み係合させて施錠具３０に解錠具３９をセットする（図１１（ｂ））。
【００４９】
そして、解錠具３９を図１１上で時計回り方向に回転させ（図１２は回転中の状態）、当接部３８を軸受部３２のガイド面３２ｅに沿って移動させて遊技盤１９側の挟時固定部２５のガイド面２７ｂ上へと移動させる（図１２）。
そしてさらに解錠具３９を時計回り方向に回転（図１１の状態から１８０度回転）させて挟時固定部２５のガイド面２７ｂに設けた係合用窪み２７ａ内に当接部３８を収容保持させる（図１３）。
そして前記一連の操作が終了した後に、解錠具３９を施錠具３０から外せば、遊技盤１９が施錠具３０によって保持固定された状態となる（図１３の（ａ）状態）。
本実施例によれば、把持部４２を持って施錠具３０の回動操作が容易に行え、回動作動時の負荷が軽減される。
【実施例２】
【００５０】
図１４乃至図１９は本発明の実施例２を示す図で、解錠具３９の他の実施の形態の一例を示す。なお、取付部２９及び施錠具３０の構成及びその他の構成及び作用効果にあっては前記実施例１と同一の構成・作用効果を採用可能であるため、ここでは、特有の構成である解錠具３９についてのみ説明する。
【００５１】
本実施例の解錠具３９は、裏側に複数個の解錠具側係合部（第一係合部４３ａ乃至第三係合部４３ｃ）を備え、かつ回動軸４５を中心に回動する円盤状の回動部４４と、該回動部４４に取付けられ、回動部４４の回転軸４５と同軸上の回転軸を中心として回動可能に構成した取っ手部４６とで構成されている。
【００５２】
回動部４４は、円盤状に形成されるとともに、裏側に回動軸４５と同軸の第一の係合部４３ａと、該第一の係合部４３ａから偏芯した位置に備えられた第二の係合部４３ｂ、第三の係合部４３ｃからなる解錠具側係合部（係合部）４３を突出して備えている。
【００５３】
取っ手部４６は、回動部４４に対して左右方向及び上下方向に回動可能に構成されている。
本実施例では、図１５及び図１９に示すように、回動部４４上面の中央に左右方向に回動可能に取っ手部連結部４７が軸着され、該取っ手部連結部４７に設けられている左右立上げ片部４７ａ，４７ａに、横軸４６ａを介して取っ手部４６が上下方向に回動可能に取り付けられている。本実施例における取っ手部４６は、回動軸４５に対して長手方向が所定角度傾斜した長尺棒状態に形成されている。なお、取っ手部４６の形状は特に図示形態に限定されるものではなく、本発明の範囲内で設計変更可能である。
【００５４】
前記取っ手部４６と回動部４４には、夫々係合し合う取っ手部側係合部４８と回動部側係合受部４９が設けられ、前記取っ手部側係合部４８と回動部側係合受部４９のいずれかは複数個設けられている。
本実施例では、取っ手部４６の基端側裏面に突設した単一の取っ手部側係合部（係合部）４８と、回動部４４の頂面で、周方向に凹設した複数個の回動部側係合受部（被係合部）４９，４９…としている。
従って、作業者は、まず、回動部４４の裏面側に突出する解錠具側係合部（第一の係合部４３ａ乃至第三の係合部４３ｃ）を、施錠具側係合部（第一の被係合部３７ａ乃至第三の被係合部３７ｃ）に係合させ、そして取っ手部４６を作業し易い位置へと回動させるとともに、取っ手部側係合部４８を所定の回動部側係合受部４９に差込み係合させる。そして、所定方向に取っ手部４６を持って回動させて施錠する。解錠する場合には、前記施錠工程と逆工程を行う。本実施例によれば、長尺状の取っ手部４６を持って施錠具３０の回動作動が行えるため、回動操作における負荷が軽減され、作業性が向上する。
【００５５】
また、本実施例では、取っ手部側係合部４８の先端を面取り加工して、回動部側係合受部（被係合部）４９を係合方向にガイドするガイド部５０を設けている。よって、取っ手部側係合部４８の回動部側係合受部４９への差込み作業の利便性が向上する。このガイド部５０は、取っ手部側係合部４８と回動部側係合受部４９のいずれかに設けられている。
なお、本実施例では、上述した通り、取っ手部側係合部４８の先端部に、回動部側係合受部４９へと案内するガイド部５０を設ける形態を採用しているが、このガイド部を設けない構成を採用することも可能で本発明の範囲内である。
「変形例１」
【００５６】
実施例１では、施錠具３０に被係合部３７を設け、解錠具３９に該被係合部３７に係合する係合部４３を設けた実施の一形態をもって説明したが、施錠具に係合部を設け、解錠具に該係合部が係合する被係合部を設ける形態を採用することも本発明の範囲内である。
実施例１では、施錠具３０の回動支部３５と当接部３８を一体成形した実施の一形態をもって説明したが、複数の部材から構成されている形態を採用することも本発明の範囲内である。
実施例１及び２では、解錠具３９の把持部４２が正面視Ｔ字形状（実施例１）、取っ手部４６が長尺棒状の形態（実施例２）をもって説明したが、解錠具３９の回動軸と同軸上の把持部（取っ手部）形態を採用することも本発明の範囲内である。
実施例２では、解錠具３９の取っ手部４６に取っ手部側係合部４８を設け、回動部４４に該係合部４８が係合する回動部側係合受部４９を設けた実施の一形態をもって説明したが、回動部に係合部を設け、取っ手部に該係合部が係合する係合受部を設ける形態を採用することも本発明の範囲内である。
また、取っ手部側係合部４８と回動部側係合受部４９は少なくとも一方が複数個設けられる形態であればよく限定はされない。さらに、ガイド部５０は係合部と係合受部の少なくともいずれか一方に設けられていればよい。
また、図示はしないが、施錠具の他の形態として、例えば、遊技機本体枠内に突設した取付部に対してスライド自在に備えた断面視コ字形状を有するスライド式の施錠具構成とし、該施錠具を、遊技盤の端縁を挟持するようにスライドさせて遊技盤の表面を固定する構成であってもよく、この場合においてもスライド操作の利便性のため複数個の施錠具側係合部を施錠具の表面に備えるとともに、該複数個の施錠具側係合部に係合する解錠具側係合部構成が採用される。
【図面の簡単な説明】
【００５７】
【図１】本発明弾球遊技機を構成する遊技盤の一実施例を示す概略正面図。
【図２】フロント扉を開放し、遊技盤１９及び図示しない表示装置を取り外した状態の正面図。
【図３】（ａ）は図２のＥ１部分の拡大図で、上方の軸受部を拡大して示し、（ｂ）は図２のＥ２部分の拡大図で、下方の軸受部を拡大して示す。
【図４】（ａ）は図２のＥ３部分の拡大図で、上方の取付部と施錠具を拡大して示し、（ｂ）は図２のＥ４部分の拡大図で、下方の取付部と施錠具を拡大して示す。
【図５】遊技盤の正面図。
【図６】取付部に施錠具をセットした状態を正面側から見た斜視図。
【図７】取付部に施錠具をセットした状態を背面側から見た斜視図。
【図８】取付部と施錠具の分解斜視図。
【図９】解錠具を把持部側から見た斜視図。
【図１０】解錠具を基部側から見た斜視図。
【図１１】遊技盤を施錠具によって施錠する工程を示す概略図で、施錠具が回動していない状態を示す。
【図１２】遊技盤を施錠具によって施錠する工程を示す概略図で、施錠具が回動している途中の状態を示す。
【図１３】遊技盤を施錠具によって施錠する工程を示す概略図で、施錠具の回動途中の状態を示す。
【図１４】解錠具の他の実施の一例を示す全体斜視図。
【図１５】解錠具の他の実施の一例を示す全体斜視図で、取っ手部を上方に回動させて取っ手部側係合部を回動部側係合部から外した状態。
【図１６】解錠具の他の実施の一例で、裏面側から見た状態を示す全体斜視図。
【図１７】解錠具の他の実施の一例を示す背面図。
【図１８】解錠具の他の実施の一例を示す背面図で、取っ手部を上方に回動させて取っ手部側係合部を回動部側係合部から外した状態。
【図１９】解錠具の他の実施の一例を示す分解斜視図。
【符号の説明】
【００５８】
Ａ  遊技領域
１９  遊技盤
２９  取付部
３０  施錠具
３７  施錠具側係合部
３９  解錠具
４３  解錠具側係合部
【図１】
2006198192.tif 000003
【図２】
2006198192.tif 000004
【図３】
2006198192.tif 000005
【図４】
2006198192.tif 000006
【図５】
2006198192.tif 000007
【図６】
2006198192.tif 000008
【図７】
2006198192.tif 000009
【図８】
2006198192.tif 000010
【図９】
2006198192.tif 000011
【図１０】
2006198192.tif 000012
【図１１】
2006198192.tif 000013
【図１２】
2006198192.tif 000014
【図１３】
2006198192.tif 000015
【図１４】
2006198192.tif 000016
【図１５】
2006198192.tif 000017
【図１６】
2006198192.tif 000018
【図１７】
2006198192.tif 000019
【図１８】
2006198192.tif 000020
【図１９】
2006198192.tif 000021